(57)【要約】  光学素子を有するディスプレイは基板層と表示層とを備える。基板層は、電源と、電源に相互接続された複数の光学素子と、これらの両方に接続されたコントローラとを備える。基板層はフレキシブル材料から成っていてもよい。コントローラは、少なくとも第２の光学素子に対して異なる照明状態で少なくとも第１の光学素子を作動させる。表示層は、基板の本質的部分を覆うとともに、その一部を覆うテキスト及び／又は図形を含む。表示層はフレキシブル材料から成っていてもよい。光学素子は表示層を通して見ることができる。電源は太陽電池及び／又はバッテリを含んでいてもよい。バッテリ及び太陽電池の両方が使用される場合、太陽電池は、微光状態で光学素子及びコントローラを作動させるためにバッテリを充電してもよい。【選択図】  図２
2008516264.tif 000002
【特許請求の範囲】
【請求項１】
光学素子を有するディスプレイであって、
（１）内蔵電源と、
複数の光学素子と、
前記電源及び前記光学素子に対して相互接続されて動作するとともに、少なくとも第２の光学素子に対して異なる照明状態で少なくとも第１の光学素子を作動させるようになっているコントローラと、
を備える基板層と、
（２）前記基板に相互接続され且つ前記基板の第１の側の少なくとも本質的部分を覆うとともに、その少なくとも本質的部分を覆うテキスト及び／又は図形を備える表示層と、
を備え、
前記光源が作動されると、前記光源のうちの少なくとも１つを前記表示層を通して見ることができるようになっている、ディスプレイ。
【請求項２】
前記電源が太陽電池を備える、請求項１に記載のディスプレイ。
【請求項３】
前記電源がバッテリと太陽電池とを備え、前記太陽電池が前記バッテリを充電するようになっている、請求項１に記載のディスプレイ。
【請求項４】
前記基板の第２の側に相互接続されて作用する取り付け層を更に備え、前記第２の側が前記第１の側と反対側にあり、前記取り付け層が前記ディスプレイを構造体に対して固定するようになっている、請求項１に記載のディスプレイ。
【請求項５】
前記取り付け層が、接着剤、マジックテープ材料、磁石のうちの少なくとも１つを備える、請求項４に記載のディスプレイ。
【請求項６】
前記表示層に対して相互接続されて作用し且つ前記ディスプレイを構造体に対して固定するようになっている取り付け層を更に備える、請求項１に記載のディスプレイ。
【請求項７】
前記光源が発光ダイオードを備える、請求項１に記載のディスプレイ。
【請求項８】
前記コントローラが、前記光源の動作のシーケンス又は強さのうちの少なくとも一方を変えるようにプログラム可能である、請求項１に記載のディスプレイ。
【請求項９】
前記基板が、前記コントローラと相互接続されて動作するスイッチを更に備え、前記コントローラが少なくとも２つの照明シーケンスをもって予めプログラムされ、前記スイッチを所定のシーケンスで作動することにより前記シーケンスを選択できる、請求項８に記載のディスプレイ。
【請求項１０】
前記基板が、外部のプログラミング装置に対して相互接続されるようになっているプログラミングポートを更に備える、請求項８に記載のディスプレイ。
【請求項１１】
前記基板が、前記コントローラに相互接続されて動作する受信器を更に備え、前記受信器が、信号を受けるとともに、前記信号に含まれるプログラミング信号を前記コントローラに対して供給するようになっている、請求項８に記載のディスプレイ。
【請求項１２】
前記受信器がアンテナとＲＦ復調器とを備える、請求項１１に記載のディスプレイ。
【請求項１３】
前記受信器が光センサを備える、請求項１１に記載のディスプレイ。
【請求項１４】
前記基板が、動きが検出されると光源の動作のシーケンスを起動させるようになっているモーション検出器を更に備える、請求項１に記載のディスプレイ。
【請求項１５】
前記基板が、音が検出されると光源の動作のシーケンスを起動させるようになっている音声認識センサを更に備える、請求項１に記載のディスプレイ。
【請求項１６】
前記基板が、前記コントローラ及び光源の作動後に所定の期間が経過すると前記コントローラの作動を停止するようになっているタイマを更に備える、請求項１に記載のディスプレイ。
【請求項１７】
前記ディスプレイが車のバンパーステッカーである、請求項１に記載のディスプレイ。
【請求項１８】
前記ディスプレイが壁に取り付けられるポスター及び／又は窓を通して見えるポスターである、請求項１に記載のディスプレイ。
【請求項１９】
フレキシブルな照明付きディスプレイであって、
（１）電源と、
複数の光学素子と、
前記電源及び前記光学素子に対して相互接続されて動作するとともに、少なくとも第２の光学素子に対して異なる照明状態で少なくとも第１の光学素子を作動させるようになっているコントローラと、
を備えるフレキシブル基板層と、
（２）前記基板に相互接続され且つ前記基板の第１の側の少なくとも本質的部分を覆うとともに、その少なくとも本質的部分を覆うテキスト及び／又は図形を備える表示層と、
を備え、
前記光源が作動されると、前記光源のうちの少なくとも１つを前記表示層を通して見ることができるようになっている、ディスプレイ。
【請求項２０】
前記電源がバッテリと太陽電池とを備え、前記太陽電池が前記バッテリを充電するようになっている、請求項１９に記載のディスプレイ。
【請求項２１】
前記コントローラが、前記光源の動作のシーケンス又は強さのうちの少なくとも一方を変えるようにプログラム可能である、請求項１９に記載のディスプレイ。
【請求項２２】
前記基板が、ディスプレイの外部の所定の状態が検出されると光源の動作のシーケンスを起動させるようになっている検出器を更に備える、請求項１９に記載のディスプレイ。
【請求項２３】
フレキシブルな照明付きディスプレイであって、
（１）電源と、
前記電源に対して相互接続されて動作するコントローラと、
を備えるフレキシブル基板層と、
（２）前記基板に相互接続され且つ前記基板の第１の側の少なくとも本質的部分を覆うとともに、その少なくとも本質的部分を覆うテキスト及び／又は図形を備える表示層と、
（３）複数の光学素子と、
を備え、
前記電源及び前記コントローラが、前記複数の光学素子に結合されて動作することにより少なくとも第２の光学素子に対して異なる照明状態で少なくとも第１の光学素子を作動させ、それにより、前記光源が作動されると、前記光源のうちの少なくとも１つを前記表示層を通して見ることができるようにする、ディスプレイ。
【請求項２４】
複数の光学素子のうちの少なくとも１つが表示層中にある、請求項２３に記載のディスプレイ。
【請求項２５】
複数の光学素子のうちの少なくとも１つがフレキシブル基板層中にある、請求項２３に記載のディスプレイ。
【請求項２６】
前記コントローラが、所定の期間後に複数の光学素子の動作を停止させるタイマを含む、請求項２３に記載のディスプレイ。
【請求項２７】
複数の光学素子を作動させるようになっているセンサを更に備え、センサが、光センサ、モーションセンサ、熱センサ及び音センサから成るセンサの群から選択される、請求項２３に記載のディスプレイ。
【請求項２８】
コントローラが、バッテリ電荷が所定の閾値を下回ると複数の光学素子の動作を選択的に変更する、請求項２３に記載のディスプレイ。
【請求項２９】
フレキシブルな照明付きディスプレイであって、
電源と、前記電源に対して相互接続されて動作するコントローラと、電源及びコントローラに接続されて動作する複数の光学素子とを有するフレキシブル基板層を備え、
コントローラにより光学素子が照明し、電源が太陽電池を含むディスプレイ。
【請求項３０】
前記フレキシブル基板に相互接続され且つ前記基板の第１の側の少なくとも本質的部分を覆うとともに、その少なくとも本質的部分を覆うテキスト及び／又は図形を備える表示層を更に備える、請求項２９に記載のディスプレイ。
【請求項３１】
電源がバッテリを更に備える、請求項２９に記載のディスプレイ。
【請求項３２】
バッテリが充電式バッテリであり、太陽電池が、充電式バッテリに接続されて作用することによりバッテリを充電する、請求項３１に記載のディスプレイ。
【発明の詳細な説明】
【関連出願の相互参照】
【０００１】
[Para1]本出願は、２００４年９月１０日に提出された“ＢＵＭＰＥＲ  ＳＴＩＣＫＥＲ  ＷＩＴＨ  ＬＩＧＨＴ  ＤＩＳＰＬＡＹ”と題される米国仮特許出願第６０／６０８，７８３号及び２００４年１０月８日に提出された“ＰＯＳＴＥＲ  ＷＩＴＨ  ＲＥＭＯＴＥＲＹ  ＰＲＯＧＲＡＭＭＡＢＬＥ  ＤＩＳＰＬＡＹ”と題される米国仮特許出願第６０／６１７，２６３号の利益を主張しており、これらの出願の開示全体は、その全体が参照により本明細書に援用される。
【発明の分野】
【０００２】
[Para2]本発明は、ディスプレイ装置に関し、特に少なくとも１つの光学素子を含むディスプレイ装置に関する。
【発明の背景】
【０００３】
[Para3]ディスプレイは、多くの用途で使用され、多くの様々な形態をとるとともに、観察者又は見物人へメッセージを伝える目的を果たす。そのようなメッセージは、広告、情報、又は、伝えることが求められる任意の他の特定のメッセージであってもよい。例えば、食料品店やコンビニエンスストア等の小売店は、一般に、広告のため及び情報を伝えるために多数の様々なタイプのディスプレイを使用する。ディスプレイは、製品及び価格を示す棚札、フロアディスプレイ、ウインドウディスプレイ、及び、他の多くのものであってもよい。同様に、ポスターは、小売店、映画館、食料品施設を含む多くのタイプの施設におけるディスプレイとして、また、様々なタイプの情報を伝えるための多くの公共の或いは政府のディスプレイとして使用される場合がある。また、バンパーステッカーやウインドウステッカーなど、多くの様々なタイプの車両装着ディスプレイも存在する。他のタイプの車両装着ディスプレイとしては、タクシー及びバスや電車などの公共輸送車両を含む車両の内部及び／又は外部に装着される広告ディスプレイが挙げられる。ディスプレイは、例えば数例挙げると、ベンチ、建物、通り、又は、街灯柱、バナーに取り付けられる場合もある。
【０００４】
[Para4]一般に、そのようなディスプレイは、所定の態様で印刷される静的なディスプレイである。例えば、ポスターは、広告宣伝で使用するためのテキスト及び／又は図形を含む印刷表示部を有している場合がある。これらのディスプレイは、しばしば、限られた期間にわたってのみ使用することを意図しており、したがって、そのようなディスプレイのコストを可能な限り低く保つことが望ましい。そのようなディスプレイは、一般に、ポスター又は他のディスプレイが丸められたチューブの状態で輸送され、その後、展開されて、フレームなどの適切なディスプレイ取り付け装置に取り付けられ、適切な場所に表示されてもよい。そのようなディスプレイは、一般に、表示の性質を変えるライト又は他の視覚要素を内部にひとつも有していない。同じことが殆どの車両のディスプレイにも当てはまり、公共輸送車両のバンパーステッカー又は広告は静的な固定された印刷ディスプレイを有している。
【０００５】
[Para5]しかしながら、他のタイプのディスプレイは、動的に変化する表示素子を有する照明付きディスプレイである。そのようなディスプレイは、数例挙げると、移動バナー、ネオン電球、ビデオディスプレイを含む。そのようなディスプレイは、従来、必要な電力を供給してディスプレイを動作させるために電源に差し込まれる。その結果、これらの照明付きディスプレイは、比較的高い所要電力を有しており、比較的高価である。また、そのようなディスプレイは、匹敵する固定された或いは静的なディスプレイと比べると輸送及び設置に比較的高い費用がかかる。更に、そのようなディスプレイの設置場所は、一般に、電源に比較的近い場所に限られる。しかしながら、そのようなディスプレイは、見物人へ視覚刺激を与えるディスプレイの動的な性質に起因してかなりなじみが深く且つ大きな市場を有しており、そのため、見物人の注意を引き、多くの場合、より効果的な表示を行なう。更に、そのようなディスプレイは、微光状態でも見えることから、夜間又は他の微光状況において視認能力を高める。多くの他のディスプレイは、静的な印刷された表示を照明するのに役立つだけのフロントライト又はバックライトを用いて点灯されるだけである。
【０００６】
[Para6]そのようなディスプレイは、長年にわたって非常にうまく使用されていることから明らかなように高度の成功及び実用性を有しているが、一般に完全に専門化されており、特定のタイプの用途に限られている。その結果、照明付き又は動的なディスプレイなどの多くのタイプのディスプレイが多くの用途で使用できない。
【発明の概要】
【０００７】
[Para7]本発明は、低コストな内部給電式の照明付き及び／又は動的なディスプレイを有することが有益であることを認識している。一実施形態では、光学素子を有するディスプレイが提供される。ディスプレイは基板層と表示層とを備える。基板層は、電源と、電源に相互接続された複数の光学素子と、電源及び光学素子に相互接続されたコントローラとを備える。基板層はフレキシブル材料から成っていてもよい。コントローラは、少なくとも第２の光学素子に対して異なる照明状態で少なくとも第１の光学素子を作動させるようになっている。表示層は、基板に相互接続されて、基板の少なくとも本質的部分を覆うとともに、その少なくとも本質的部分を覆うテキスト及び／又は図形を含む。表示層はフレキシブル材料から成っていてもよい。光源が作動されると、光源のうちの少なくとも１つを表示層を通して見ることができる。電源は太陽電池及び／又はバッテリを含んでいてもよい。電源がバッテリ及び太陽電池の両方を備える実施形態において、太陽電池は、バッテリを充電して微光状態で光学素子及びコントローラを作動させるために使用されてもよい。
【０００８】
[Para8]幾つかの実施形態において、コントローラは、光源の動作のシーケンス又は強さのうちの少なくとも一方を変えるようにプログラム可能である。一実施形態において、基板は、コントローラと相互接続されて動作するスイッチを更に備え、コントローラは、スイッチを所定のシーケンスで作動することにより選択できる少なくとも２つの照明シーケンスをもってプログラムされる。他の実施形態において、基板は、コントローラに相互接続され且つ外部のプログラミング装置に対して相互接続されるようになっているプログラミングポートを更に備える。更なる実施形態において、前記基板は、コントローラに相互接続されて動作し且つ外部信号を受けて上記信号に含まれるプログラミングシーケンスをコントローラに対して供給するようになっている受信器を更に備える。一実施形態において、受信器はアンテナとＲＦ復調器又は光センサを備える。
【０００９】
[Para9]更なる実施形態において、基板は１つ以上のセンサを備える。そのようなセンサは、動きが検出されると光源の動作のシーケンスを起動させるようになっているモーション検出器であってもよい。また、センサは、微光状態が検出されると光源の動作のシーケンスを起動させるようになっている光検出器であってもよい。他のセンサ及びそのようなセンサの組み合わせが利用されてもよい。
【詳細な説明】
【００１０】
[Para28]本発明は、照明付きディスプレイ及び／又は動的ディスプレイを、現在そのようなディスプレイを使用するのにふさわしい用途よりも更に適した用途で利用できるようにすることが有益であることを認識している。そのような照明付きディスプレイ及び／又は動的ディスプレイは、視覚訴求を高め、それにより、見物人によって注目される可能性を高くすることができるとともに、微光状態又は夜間状態の間にわたって更なる視認性を与える。前述したように、照明付きディスプレイ及び／又は動的ディスプレイは、従来から高価であり、また、装置の外部に電源を有するという要件に起因して配置の選択肢が限られている。更に、そのようなディスプレイは、従来から比較的大型であり扱いにくいため、輸送して設置するのに高い費用がかかる。本発明は、照明付きで且つ動的なディスプレイを依然として提供しつつ利用可能な電力の要件によって制限されない領域に配置できる比較的安価なディスプレイを有することも有益であることを認識している。また、本発明は、表示を視覚的に高めるために光学素子が内蔵されたディスプレイを提供する。ディスプレイは、見物人が見ることができるテキスト、図形及び／又は表面特徴を有する表面層を含んでおり、また、表面層を通して見ることができ且つ光学素子が他の光学素子に対して照明状態を変える動的な光学素子を更に備える。ディスプレイは内蔵電源を有しており、それにより、ディスプレイを電気コンセントの近傍に配置するという要件が排除され、また、一実施形態では、内蔵電源がバッテリを充電するように作用する太陽電池を含んでおり、それにより、内蔵型の再生可能な電源が提供される。更に、他の実施形態において、ディスプレイはフレキシブルであり、比較的簡単に取り付けて、輸送して、保管できる。
【００１１】
[Para29]そのようなディスプレイは、照明付き／動的ディスプレイにとって従来ふさわしくなかった多くの様々な用途で使用されてもよい。例えば、ディスプレイは、広告標識として、バンパーステッカーとして、或いは、フロントライセンスタグとして、自動車などの車両に取り付けられてもよい。ディスプレイは、小売店のウインドウを含む、車両、建物又は他の構造物の窓や他の透明材料に固定されてもよい。ディスプレイは、支持構造体に取り付けられてもよく、また、数例挙げると、例えば掲示板などの看板として、不動産が売り出し中であること知らせる不動産標識として、オープンハウス標識として、開店／閉店の看板として、禁煙標識として、警告標識（足下に注意）として使用されてもよい。多くのディスプレイが、ストリップ状態で配置されてもよく、電源に差し込む必要がない特定の季節にわたって或いは特定の年月にわたってホリデー照明のために使用されてもよい。また、そのようなディスプレイは、ガソリンスタンド、公示又は情報を与える道端の標識、チームペナントや身の回り品などのノベルティ、迂回せよという掲示又は特定のイベントの表示などの方向案内標識において用途を見出してもよい。幾つかの用途において、ディスプレイは、ディスプレイの面から隆起される表面特徴を含んでいてもよい。そのような表面特徴は、ディスプレイのグラフィックに対応する突起及び／又は凹部を含んでいてもよく、或いは、表面特徴はディスプレイ内に含まれるテキストに対応する点字であってもよい。
【００１２】
[Para30]ここで、図１を参照すると、本発明の一実施形態のディスプレイを上側から見た斜視図が描かれている。ディスプレイ２０は、テキスト、図形、及び／又は、表示層２８の外面上にある表面特徴２４を含む。表示層２８は基板３２に取り付けられている。ディスプレイ２０に関連付けられたテキスト、図形、及び／又は、表面特徴２４は、ディスプレイ２０が複数のタイプの表面特徴とともに機能することができるように、任意の従来の態様で表示層２８に対して取り外し可能に付着されていてもよい。基板３２は、以下で更に詳しく説明するように、表示層２８を通して見ることができる光学素子を含む。ディスプレイ２０は、例えば車のバンパーステッカーなどの比較的小さいディスプレイや、ポスターや垂幕などの比較的大きなディスプレイを含む多くの様々な形態をとってもよい。一実施形態において、表示層２８は、基板３２内に収容される光学素子の近傍に位置される半透明部分又は透明部分を含む。したがって、基板３２内の光学素子は、表示層２８の半透明部分又は透明部分を通して見ることができる。光学素子は、光学素子及び回路に対して何らかの保護を与えるために表示層２８を通して見えるように記載されているが、光学要素が表示層２８内へと延在することも考えられ、或いは、光学素子が表示層２８を通して単に見えるのではなく表示層２８の開口（具体的に図示せず）を通して見えるようになっていることも考えられる。例えば、表示層２８は、上記表示層中に組み込まれ且つ基板３２に接続された光源を有していてもよい。光学素子は、基板の対応する接点領域へと延びる導電リード線とともに、シリコン、アップリケ又は他の適切な技術を使用して表示層中に組み込まれてもよい。また、一実施形態において、基板３２は、光学素子のための電源を供給するソーラーアセンブリ及びバッテリと、任意の関連する制御エレクトロニクスとを含む。この実施形態において、表示層２８は、ソーラーアセンブリに関連する半透明領域又は透明領域も含む。表示層２８は不透明部分を含んでいてもよい。
【００１３】
[Para31]ここで、図２を参照すると、一実施形態の１つの想定し得る基板３２の概略ブロック図が描かれている。この実施形態において、基板３２は、光源１〜光源Ｎとして図２に示される複数の光源３６を含む。光源３６の数が特定の用途にとって望ましい任意の数であってもよいことは言うまでもない。光源３６は電源４０及びコントローラ４４に対して相互接続されている。電源４０は、コントローラ４４及び特定の用途のために存在する所定数の光源３６に給電するための任意の適切な電源であってもよい。そのような電源４０としては、数例挙げると、例えば、バッテリ、太陽電池、コンデンサ或いはこれらの組み合わせを挙げることができる。一実施形態において、電源４０は充電式バッテリと太陽電池とを備える。他の実施形態では、アルカリ電池を備える電源４０が設けられる。コントローラ４４は、そのような用途に適した任意のコントローラであり、光源３６の作動及び作動停止を制御する。また、コントローラ４４は、特定の光源３６における輝度及び／又は光源３５のうちの任意の１つにより発せられる光の特定の色を制御してもよい。例えば、光源３６のうちの１つ以上が２色ＬＥＤを含んでいてもよく、また、コントローラ４４がＬＥＤにより発せられる光の色を制御してもよい。光源３６は、数例挙げると、発光ダイオード、レーザダイオード、光ファイバケーブル、白熱球、アップリケ放射技術、有機発光装置を含む多くの異なる光源のうちの任意の光源を含んでいてもよい。コントローラは、特定の用途にとって望ましい態様で光源３６により生成される光を制御するように動作する任意の適したマイクロコントローラ又は論理ゲートの組み合わせであってもよい。一実施形態において、コントローラは、約２ボルト〜約５．５ボルトの動作範囲を有する低電力１６ビットフラッシュマイクロコントローラである。しかしながら、製品における特定の用途に応じて任意の適切なコントローラが使用されてもよいことは言うまでもない。一実施形態において、基板３２は、様々な構成要素が取り付けられたフレキシブル材料によって形成されており、これによりフレキシブル回路を形成している。フレキシブル材料は、例えば、シリコン処理されたゴム又は合成ゴムのゴム系材料であってもよい。そのようなフレキシブル回路は水も通さない。しかしながら、フレキシブル基板３２は、他の適したフレキシブル系材料、例えばフレキシブルプラスチックによって形成されてもよい。例えば、フレキシブル基板は、カプトン（ｋａｐｔｏｎ）又はポリエステル系、ウレタン又はプロピレン中に埋め込まれたエッチング銅プロセス（ｅｔｃｈｅｄ  ｃｏｐｐｅｒ  ｐｒｏｃｅｓｓ）又はシルバーインクスクリーン印刷プロセスから形成されてもよい。
【００１４】
[Para32]前述したように、電源４０は、太陽電池及び充電式バッテリを含んでいてもよい。このように、バッテリは、太陽電池が電力を生成していない期間中にわたって、例えば微光状態中に、コントローラ及び光学素子に対して電力を供給するために太陽電池により充電されてもよい。充電式バッテリは、任意の適した充電式バッテリであってもよく、又は、例えばニッケルカドミウム電池、リチウムポリマー電池、ニッケル水素電池、リチウムイオン電池を含む２つ以上の電池を備えるバッテリパックであってもよい。電源は、バッテリに代えて或いはバッテリに加えて、適切な時間にわたってコントローラ及び光学素子に給電するために使用されてもよい比較的多くの電荷を保持できるコンデンサを含んでいてもよい。例えば、スーパーコンデンサはかなりの時間にわたってそのような電力を供給することができる。そのような再充電可能な電源は、バッテリを充電できる十分な光が太陽電池に供給されれば、かなりの時間にわたって動的な照明表示を生成できるディスプレイを提供する。他の実施形態において、電源４０は、アルカリ電池を含むが、太陽電池又は他の充電構成要素を含んでいない。そのようなディスプレイは、コントローラ及び光学素子を動作させることができる十分な電力をもはや供給できない時点まで使い果たすようにアルカリ電池の電荷を利用する時間にわたって、動的な照明付き表示を行なう。しかしながら、そのようなディスプレイは、太陽電池及び充電式バッテリを有するディスプレイよりもコストが低い。そのようなアルカリ電池により給電されるディスプレイは、限られた時間だけディスプレイを動作させることが望ましい多くの用途で役立つ場合がある。例えば、販売キャンペーンは、製品を大きく宣伝することが望ましい限られた時間にわたって特定の製品に関する広告を含んでもよい。そのようなキャンペーンとしては、数週間だけ設置される店舗陳列を挙げることができる。そのようなディスプレイは、アルカリ電池を有する電源を含む本明細書で説明したようなディスプレイを含んでいてもよい。バッテリは、限られた時間にわたってディスプレイのための電源を供給するように選択されてもよい。例えば、コカコーラが＄０．９９の２リットルダイエットコーラボトルを２週間にわたって表示することを求めた場合には、２週間だけディスプレイが照明される十分なエネルギを供給するようにバッテリを選択することができる。その後、バッテリは、光源を照明するのに不十分なエネルギを有することになる。その後は、ディスプレイが廃棄されることが予期される。
【００１５】
[Para33]ここで、図３を参照すると、他の実施形態のディスプレイ５０が示されている。この実施形態において、ディスプレイ５０は、観察者により見える表示領域５４を有している。表示領域５４は、前述したと同様に、基板（図示せず）上の様々な光学素子からの光を表示領域５４を通して見ることができるようにする透明領域又は半透明領域を含む。また、ディスプレイ５０は、光学素子及び任意の関連する電子回路に給電するために使用される太陽電池５８も含む。また、図３の実施形態において、ディスプレイ５０は、ディスプレイの電源をＯＮ／ＯＦＦするために使用されてもよいオプションのスイッチ６２を含む。太陽電池５８は、そのような用途に適する任意の数の太陽電池のうちの１つであってもよく、一実施形態では柔軟なアモルファスシリコン太陽電池である。スイッチ６２は、光学素子及び関連する電子回路をＯＮ及び／又はＯＦＦするために使用され、したがって、電力を保存するのに役立つ。例えば、ユーザは、夜又は他の微光状態中にディスプレイに関連する光学要素を作動させることを単に望む場合がある。そのような場合、基板は、制御エレクトロニクス及び光学素子を動作するために使用されるバッテリ（図示せず）を含んでいてもよい。太陽電池５８は日中にわたってバッテリを充電し、スイッチ６２は、昼間又は高光量状態中にディスプレイをＯＦＦするために使用されてもよく、また、微光時又は夜間状態でディスプレイをＯＮするために使用されてもよい。また、スイッチ６２は、ディスプレイをＯＮするためだけに使用されてもよい。この場合、基板内の電子回路は、バッテリの状態を監視するとともに、バッテリの電荷が予め設定された閾値以下になると、光学素子が作動され及び／又は自動的に電源ＯＦＦされる頻度を減少させる。このようにして、バッテリが日中に太陽電池により充電されてもよく、また、夜間にスイッチ６２を使用してディスプレイがＯＮに切り換えられてもよく、或いは、微光状態中にディスプレイの使用が制限されてもよい。他の実施形態において、電子回路は、スイッチの作動後に予め設定された時間にわたって或いは例えば午後８時〜午前７時などの予め設定された時間にわたって光学素子を作動させるタイミング装置を含んでいてもよい。図３は表示領域５４を通して見える太陽電池５８及びスイッチ６２を示しているが、当業者であれば分かるように、太陽電池５８及びスイッチ６２は、前述した実施形態と同様に具体的に図示しない基板３２の背面を介して露出されていてもよい。このようにすると、表示領域５４を店の内側に晒すことができ、一方、太陽電池５８は店の外側の光に晒される。なお、スイッチ６２は、表示領域５４と反対側に表示されてもよい。
【００１６】
[Para34]図４には、図３のディスプレイ５０に関連付けられた基板６６が示されている。基板６６は、コントローラ７０と、コントローラ及びバッテリ９４に取り付けられた複数の光源７４〜９０とを含んでおり、バッテリは太陽電池５８に対して接続されている。また、スイッチ６２もコントローラ７０に対して接続されている。太陽電池５８はバッテリ９４及びコントローラ７０の両方に対して接続されている。この実施形態において、コントローラ７０は、太陽電池に関連付けられたピンで太陽電池５８から電圧を受けるとともに、バッテリ９４の充電を制御するためにバッテリ９４に関連付けられた電圧調整回路を作動させる。光源７４〜９０はコントローラ７０及びバッテリ９４の両方に対して接続される。コントローラは、特定の光源の状態を変えるために光源７４〜９０のうちの１つ以上に関連付けられたドライバを作動させるべく作用する。光源７４〜９０の数は、ディスプレイ５０の特定の用途において必要とされる数に選択されてもよい。光源７４〜９０は、コントローラ７０によって個別にアドレス可能で且つ制御されてもよく、或いは、光学素子のサブセット又はグループでコントローラ７０により制御されてもよい。光源７４〜９０が光学素子のグループとして制御される場合、特定のグループの各構成要素は特定のグループ内の他の光学素子と類似する或いは同じ態様で制御される。例えば、２つ以上の光学素子７４〜９０を同時に作動させ或いはそれらの照明状態を変化させるべきことが望ましい場合がある。このようにして、コントローラは、光学素子のこのグループの動作を全体として制御してもよい。一実施形態において、ディスプレイ５０及び基板６６は光学素子の複数の縦列を含む。この実施形態では、光学素子の各縦列が複数の光学素子を含んでおり、各光学素子が同時に作動される。このようにして、光学素子の縦列は全体として作動される。列は、「ランニング」パターン(連続模様)のような予め設定されたパターンで作動されてもよい。或いは、表示領域５４内の異なる横列が同時に作動されるという視覚効果を形成するため、光学素子の様々な横列が全体として作動されてもよい。異なる光学素子が点灯される順序は、表示領域５４内に含まれるテキスト及び／又は図形に対応していてもよく、或いは、ランダムであってもよく、又は、他のタイプの表示パターンであってもよい。また、特定のグループ内の光学素子が２つの光学素子間に配置された遅延回路と直列に接続されてもよく、或いは、光学素子が所定の頻度でＯＮ／ＯＦＦするために内蔵回路を有していてもよい。
【００１７】
[Para35]図５には、図３のディスプレイ５０に関連付けられた他の実施形態の基板６６ａが示されている。基板６６ａは、タイマ７２を含むコントローラ７０ａと、コントローラ及びバッテリ９４に取り付けられた複数の光源７４〜９０とを含んでおり、バッテリは太陽電池５８に対して接続されている。また、スイッチ６２もコントローラ７０ａに対して接続されている。基板６６ａは、図４の基板６６に関して説明したと同様の態様で動作し、タイマ７２の使用による幾つかの付加的な制御を伴っている。特に、バッテリ９４、太陽電池５８、光源７４〜９０の動作は、図４に関して説明したように行なわれてもよい。この実施形態において、タイマ７２は、光源７４〜９０の作動の持続時間を制御するために多くの異なる態様で設定されてもよい。例えば、タイマ７２は４時間などの所望の時間に設定されてもよい。ユーザがスイッチ６２を押し或いは作動させると、コントローラ７０ａは、タイマ７２を始動させるとともに、期間が経過したことをタイマ７２が知らせるまで光源７４〜９０を前述した任意の態様で作動させる。例えば、特定の小売タイプの用途において、ディスプレイ５０は、小売店が開店している間の夕方及び夜の時間帯にだけ光源７４〜９０を作動状態にすることが望ましいディスプレイとして使用されてもよい。これらの時間は午後６時〜午後１０時であってもよい。そのような場合には、タイマ７２が４時間に設定されてもよく、また、ユーザがおよそ午後６時にスイッチを作動させてもよく、それにより、店が閉店するおよそ午後１０時までディスプレイが４時間にわたってＯＮ状態にされる。タイマ７２は、ディスプレイ５０を設定時間に自動的にＯＮにし且つ設定時間にディスプレイをＯＦＦするためにクロックを含んでいてもよい。
【００１８】
[Para36]ここで、図６を参照すると、本発明の他の実施形態のディスプレイ１００が描かれている。この実施形態において、ディスプレイ１００は表示領域１０４とパンチパッド１０８とを含む。また、ディスプレイは、ディスプレイ１００のための電源において使用される太陽電池５８も含む。前述したように、パンチパッド１０８及び太陽電池５８は、表示領域１０４を貫くのではなく、ディスプレイ１００の背面で露出されていてもよい。パンチパッド又はキーパッド１０８は、様々な異なる視覚効果を形成するために表示領域内に収容される光学素子が点灯されてもよい異なるシーケンスをプログラムするために使用されてもよい。また、光学素子がマトリクスディスプレイの状態で配置されてもよく、それにより、光学素子が作動されるときに光学素子によりテキスト又は他の図形を表示させることができる。キーパッド１０８は、特定のテキスト及び／又は図形又はディスプレイ１００の光学素子における照明機能の他のシーケンスをプログラムするために使用されてもよい。
【００１９】
[Para37]図７は、ディスプレイ１００に関連付けられた基板１１２のブロック図である。キーパッド１０８は、キーパッド１０８からのプログラミング情報を受けるようになっているコントローラ１１６に対して接続されている。パンチパッド１０８は、装置全体中に組み込まれるように示されているが、設計上の選択の問題としてシリアルバスポートなどのポートによりコントローラ１１６に接続できる遠隔ユニットであってもよい。基板１１２は、前述した電源と同様の電源４０と、光源１〜光源Ｎとして示された複数の光源１２０とを含む。前述したと同様に、コントローラは、キーパッド１０８からコマンドを受けるようにプログラムされる１６ビット低電圧フラッシュマイクロコントローラであってもよい。キーパッド１０８上のキーの数は、任意の適切な数のキーであってもよく、また、１つ以上の特定の文字キーとともに、アルファベットのそれぞれの文字のためのキーを含んでいてもよく、各番号のためのキーを含んでいてもよい。他の実施形態においては、キーパッド１０８のサイズを小さくするために少数のキーが存在し、また、これらのキーは、例えば、特定のテキスト又は図形文字を出力するようにコントローラ１１６をプログラムするために所定の時間キーを押すことによりサイクルされてもよい比較的少数のキーを含んでいてもよい。また、キーパッド１０８は、トラックホイールなどの様々な他の装置を含んでいてもよい。或いは、他の実施形態において、コントローラ１１６は、光源１２０が作動される予め設定された数の標準的なシーケンスをもって予めプログラムされる。この実施形態において、キーパッドは、どのシーケンスがディスプレイ１００上に表示されるべきかを選択するために使用されてもよい。例えば、コントローラ１１６は、予めプログラムされた照明シーケンスを含んでいてもよい。キーパッド１０８は、ユーザにより押されてもよい１つのキー又はスイッチを単に含んでいてもよく、また、キーが押されたという知らせをコントローラが受ける度に、次の予めプログラムされた照明シーケンスが作動される。ユーザは、ディスプレイ１００を観察し、所望のシーケンスが観察されるまでキーを押してもよい。一実施形態において、コントローラは、幾つかの予めプログラムされたシーケンスを有しており、また、ユーザによって入力されてもよい１つ以上のカスタムプログラマブルシーケンスも有している。予めプログラムされた照明シーケンス及び／又はカスタム照明シーケンスの多くの変形が可能であることは言うまでもない。
【００２０】
[Para38]ここで、図８を参照すると、本発明の更なる他の実施形態のディスプレイ１３０が描かれている。この実施形態において、ディスプレイ１３０は、表示領域１３４と、表示領域内に含まれるセンサ１３８とを含む。また、ディスプレイは太陽電池５８も含む。図９は、ディスプレイ１３０に関連付けられた基板１４２の電子部品のブロック図を示している。基板は、コントローラ１４６と複数の光源１５０とを含む。基板１４２は電源４０を含む。センサ１３８は、例えばモーションセンサ、光センサ、熱センサ、及び／又は、音声認識センサなどの音センサであってもよい。モーションセンサは、センサの視野内の動きを検出する或いはセンサ自体が動いているかどうかを検出できるセンサを含んでいてもよい。センサは、センサ１３８への特定の入力時にコントローラをトリガして光源１５０を作動させてもよい。例えば、センサ１３８が視野内の動きを検出するモーションセンサである場合には、センサがそのような動きを検出すると、コントローラ１４６が光源１５０を作動させる。このようにして、ディスプレイは、センサ１３８の視野内で動きが検出されるときだけ、光源を作動させる。このように、ディスプレイの所要電力は、動きが存在するときだけディスプレイを作動させることにより減少される。同様に、センサ１３８は、微光又は夜間状態の検出時にだけコントローラ１４６及び光源１５０を作動させる光センサであってもよい。このように、ディスプレイ１３０の光源１５０は、光源が容易に見える微光状態時にだけ作動される。これにより、コントローラ及び光源１５０による電力消費量が更に減少される。前述したように、コントローラ１４６がタイマを含んでいてもよい。そのような場合、ディスプレイは、タイマで予め設定された時間が経過するまでの間だけ作動される。図１〜図９の実施形態は様々な異なる機能、ハードウェア、異なるディスプレイにおける特徴を示しているが、前述した各項目のうちの１つ以上が特定のディスプレイ中に含められていてもよいことは言うまでもない。例えば、ディスプレイは、１つ以上のスイッチ、キーパッド及びセンサを含んでいてもよい。そのようなバリエーションは当業者により容易に理解される。
【００２１】
[Para39]ここで、図１０を参照すると、他の実施形態の基板１５４が描かれている。この実施形態において、基板１５４は、アンテナ１６２が結合されたコントローラ１５８を含む。コントローラは、複数の光源１６６に結合されるとともに、光源１６６の動作を制御する。基板１５４は、前述したと同様に電源４０を更に含む。コントローラ１５８及びアンテナ１６２は、基板１５４に関連付けられたディスプレイのためのプログラミングコマンドを無線接続を介して受けるために使用される。この実施形態において、コントローラは、アンテナ１６２で受けられる信号を復調し且つコントローラをプログラムして光源１６６の作動のシーケンスを制御するために後に使用されてもよい信号からプログラミング命令を得るために必要な受信回路を含む。しかしながら、基板は、そのような受信回路をコントローラとは別個に含んでいてもよい。図１０を再び参照すると、送信／受信ユニット１７０は、基板１５４及びコントローラ１５８と通信するために使用される関連する送信／受信アンテナ１７４を有している。送信／受信ユニット１７０は、プログラミング命令を含む信号を基板へ供給するのに適した任意のユニットであってもよい。そのような信号に含まれるプログラミング命令により、単に、コントローラ１５８が所定のシーケンスで光源１６６を作動させ或いはコントローラ１５８にプログラムされた情報を表示させてもよい。また、プログラミング命令は、シーケンス及び／又は表示されるべき情報を含んでいてもよい。送信／受信ユニット１７０により供給される信号は無線通信の任意のタイプであってもよい。例えば、通信は、ブルートゥース無線技術などの短距離無線接続プロトコルを使用して起こってもよい。通信は、ページング又は無線電話技術を使用して起こってもよい。一実施形態では、プログラマブル無線周波数識別（ＲＦＩＤ）集積回路が基板中に含まれる。そのようなＲＦＩＤは、良く知られており、良く知られたＲＦＩＤ技術を使用して遠隔的にプログラムされてもよい。ＲＦＩＤタグがプログラムされた後、コントローラは、ＲＦＩＤ回路の記憶場所を読み取ってプログラミング命令を得てもよい。この実施形態のディスプレイ及び基板はプログラミング命令をディスプレイへ通信するために無線周波数通信を利用するが、コントローラに接続され且つプログラミング命令を含む光信号を受けるようになっている光受信器を基板が含んでいてもよいことは言うまでもない。
【００２２】
[Para40]ここで、図１１を参照すると、更なる実施形態の基板１７８が示されている。この実施形態において、基板１７８は、スピーカ１８６に対して相互接続されて動作できるコントローラ１８２を含む。基板１７８は、前述したと同様に光源１９０と電源４０とを更に含む。スピーカ１８６又は任意の他の音響発生装置がコントローラに結合されており、コントローラはスピーカ１８６を作動させて所望の音を生成するようにプログラムされている。そのような音は、光源１９０の動作に関連付けられる予め設定されたパターンに対応していてもよく、また、基板１７８に関連付けられるディスプレイ上に含まれるテキスト及び／又は図形に対応していてもよい。例えば、ディスプレイがテキストを含んでいてもよく、コントローラ１８２がスピーカ１８６を作動させてテキストの音声バージョンを与えてもよい。或いは、スピーカ１８６は、見物人の注意を獲得し且つ見物人の注意をディスプレイへと引き付けそうな音響効果などの様々なタイプの音を与えるために使用されてもよい。このようにして、ディスプレイを見る人の数を更に増大させてもよい。
【００２３】
[Para41]ここで、図１２を参照すると、本発明の更なる実施形態のディスプレイ２００が示されている。この実施形態において、ディスプレイ２００は、テキスト及び／又は図形を有する外面を含む表示層２０４と、スペーサ層２０８と、基板２１２とを含む。スペーサ層２０８は、表示層２０４と基板２１２との間に間隔を設けるために使用される。この間隔により、表示層２０４は、ほぼ平面的になるとともに、基板２１２の回路のための保護層としての機能も果たす。そのようなスペーサ層２０８が存在しないと、基板２１２の構成要素が表示層２０４内に突出してしまう場合があり、それにより、表示層２０４は平面がかなり不連続になる。スペーサ層２０８があると、印刷を受けるのに適したほぼ平面的な表示層２０４を得ることができる。ディスプレイを製造する際、表示層２０４は、関連する光学素子及び太陽電池（存在する場合）に適した場所に半透明領域又は透明領域を有する白色層であってもよい。その後、ディスプレイ２００の表示層２０４は、色素昇華プロセス又はインクジェットプロセスなどの印刷プロセスに直接晒されてもよい。同様に、印刷可能な表面がスクリーン印刷などの他の印刷プロセスを受けるようになっていてもよい。
【００２４】
[Para42]スペーサ層は、ディスプレイの用途に応じて任意の適した材料であってもよく、一実施形態では耐久性のあるビニールである。しかしながら、スペーサ層が他のタイプの材料から形成されてもよい。例えば、スペーサ層２０８がパッド層であってもよく、ディスプレイ２００が椅子又はベンチの背もたれに使用されてもよい。この場合、スペーサ層は、ベンチ又は椅子に座る人に更なる快適さを与えるパッドを形成する。或いは、スペーサ層２０８は、基板２１２を被包して防水層を設けるために使用されるゴム系の材料であってもよい。このようにすれば、基板中の構成要素に悪影響を与える場合がある水分に基板を晒すことなく湿気のある期間又は雨降りの期間にわたってディスプレイ２００を屋外で表示することができる。また、スペーサ材料は、直接的な印刷を受けるようになっていてもよく、或いは、所望の表示テキスト及び／又は図形を受けるようになっていてもよい。そのような実施形態では、表示層２０４及びスペーサ層２０８が１つの層へと一体化されてもよい。また、光学素子及び関連する制御・電源回路が印刷できるモールド内に含まれてもよい。このようにして、モールドが適した塗料又は染料を受けるとともに、表示材料がモールドに加えられて設定できる。この場合、塗料又は染料はモールド表面から表示材料へと移動する。なお、光学素子及び関連する回路は成形プロセスに含まれてもよく、それにより完全な表示が得られる。
【００２５】
[Para43]ここで、図１３を参照すると、更に他の実施形態の大型フォーマットディスプレイ２２０が描かれている。この実施形態において、大型フォーマットディスプレイは複数の異なる表示領域２２４、２２８、２３２、２３６を含む。各表示領域２２４〜２２６は太陽電池を含む別個の電源を有している。したがって、この実施形態における各表示領域は独立のディスプレイである。ディスプレイは、各表示領域に含まれる光学素子により相補的な視覚効果を与えるようにプログラムされてもよく、それにより、各表示領域に関連付けられた適切な電力供給を受ける比較的大型のフォーマット表示を行なってもよい。或いは、大面積ディスプレイ２２０は各表示領域の境界に沿ってカットされてもよい材料により形成されており、これにより、４つの別個の表示が与えられる。
【００２６】
[Para44]ディスプレイ２２０の各表示領域２２４〜２３６は自己完結型となるように構成されており、カッティングプロセスで特定の領域の回路に影響を与える可能性を減らしつつ表示領域２２４〜２３６のカッティングを行なうことができるように回路及び／又は配線間には各表示領域毎に適切な空間が設けられている。このように、特定のサイズとなるようにユーザが選択できる表示を行なうために、ディスプレイがバッチ型プロセスで製造されてもよい。例えばユーザが大面積ディスプレイを望んでいた場合、ユーザは、大面積ディスプレイ２２０を購入し、表示領域２２４〜２３６のうちの１つ以上を使用して所望の画像表示を行なう。前述したと同様に、異なる照明シーケンスを表示するため、表示領域２２４〜２３６のうちの１つ以上がプログラムされてもよく或いはプログラム可能であってもよい。その後、ユーザは、大面積表示における所望の画像表示を行なうために特定の表示領域２２４〜２３６を選択し或いはプログラムしてもよい。大型フォーマットディスプレイ２２０は、１６インチ×２０インチなどの印刷プロセスにおいて使用される一般的なシートサイズに適合するシートサイズで大量生産されてもよい。そのようなシートは、単一ディスプレイとして印刷されてもよく或いはシート毎に４アップ態様で印刷されてもよく、その後、４枚の８インチ×１０インチシート等の更に小さい断片にカットされてもよい。前述したように、シート１枚当たりの独立表示領域の数は４枚より少なくてもよく或いは４枚より多くてもよい。
【００２７】
[Para45]一実施形態において、別個の各表示領域２２４〜２３６におけるコントローラは１つの所望の画像表示を行なうように同期されてもよい。そのような場合、コントローラは、表示領域２２４〜２３６間で延びるリード線を含んでいてもよく、また、コントローラ間で同期及び／又は他の通信を行なってもよい。これらのリード線が切断されると、コントローラは任意の他のコントローラとは無関係に動作し、それにより、大面積表示を２つ以上の独立した表示へと分けることができる。前述した例と同様に、ユーザは、４つの別個の更に小さい表示を行なうことを望んでもよい。ユーザは、４つの別個の表示を行なうために、各表示領域の境界に沿って大面積ディスプレイ２２０をカットしてもよい。この実施形態においては、大面積ディスプレイ２２０を別個のディスプレイへとカットする際のちょっとしたミスに備えるため、各表示領域に関連付けられた基板内の不可欠な回路及びリード線が表示領域の境界から安全な距離を隔てて配置されている。特定の大面積ディスプレイ２２０中に含まれる異なる表示領域の数が図１３に示される数よりも多く或いは少なくなるように選択されてもよいことは言うまでもない。例えば、大面積ディスプレイ２２０は、８、１０、１２個又はそれ以上の個別の表示領域を含んでいてもよく、また、所望のサイズにカットすることができてもよい。
【００２８】
[Para46]ここで、図１４を参照すると、本発明の更なる他の実施形態が示されている。この実施形態において、ディスプレイ２５０は両面ディスプレイである。ディスプレイ２５０は基板２５４と関連する回路及び光学素子（図示せず）とを含む。基板２５４は、既に説明した実施形態の基板に関して前述した構成要素のうちの任意の構成要素又は全てを含んでいてもよい。基板２５４の両側には第１の表示層２５８及び第２の表示層２６２が存在している。このようにして、ディスプレイ２５０は、基板２５４の両側に画像表示及び照明付き表示の両方を行なってもよい。そのような実施形態は、ディスプレイ２５０の両側を見たい多くの状況で役立ち得る。例えば、小売店のウインドウがディスプレイ２５０を含み、それにより、店の内側及び外側の両方の見物人からディスプレイの概観を提供してもよい。同様に、ディスプレイは、例えばボックスなど、表示層を有する３つ以上の表面を有して形成されてもよい。また、ディスプレイは円筒形状を成すことができる。本明細書で説明した原理はそのようなディスプレイにも等しく適用される。更に、表示領域が湾曲面を含んでいてもよい。
【００２９】
[Para47]ここで、図１５を参照すると、本発明の更なる実施形態の基板３００が示されている。この実施形態では、複数の光学素子３０４が８個の別個の縦列に配置されており、各縦列は5個の光学素子３０４を含む。基板３００はバッテリ３０８とソーラーアセンブリ３１２とを備える電源を含む。ソーラーアセンブリ３１２は、光学素子３０４に直接に給電するために使用されてもよく、また、バッテリ３０８を充電するために使用されてもよい。或いは、バッテリ３０８は、光学素子３０４に電力を供給するために使用されてもよく、その後、ソーラーアセンブリ３１２を使用して充電されてもよい。基板３００はコントローラ３１６とドライバ３２０とを含む。コントローラ３１６は、電源から電力を受けるとともに、ドライバ３２０を介して１つ以上の光源３０４を作動させるようにプログラムされている。基板は照明アセンブリをＯＮ／ＯＦＦするためのスイッチ３２４を含む。基板は、コントローラ３１６をプログラムして光学素子３０４を所望のシーケンス又はパターンで操作及び作動させるために使用されてもよいデータポート３２８を更に含む。例えば、パンチパッド１０８が離れていた場合には、コントローラ３１６をプログラムするためにパンチパッドがデータポート３２８に差し込まれてもよい。
【００３０】
[Para48]ここで、図１６を参照すると、図１５に示される基板３００を組み込むディスプレイ３５０の分解斜視図が描かれている。ディスプレイ３５０は、グラフィック領域３５８内にテキスト及び／又は図形を含んでもよいグラフィック層３５４を有している。接着層３６２は、表示層３５４を第１のスペーサ層３６６に対して固定するために使用される。第１のスペーサ層３６６は、基板層３００と表示層３５４との間に適切な大きさの空間を設けてバッテリ３０８、太陽電池３１２及び任意の他の構成要素を表示層３５４の面から何ら突出させることなくディスプレイ３５０内に収めることができる空間を形成するために使用される。第２の接着層３６８はスペーサ層３６６を基板３００に対して結合する。最後に、基板３００の他方側には取り付け層３７２が含まれており、この取り付け層３７２は、ディスプレイ３５０を支持するために使用される表面又は他の取り付け装置に対してディスプレイを固定するために使用される。取り付け層３７２は、特定の用途においてディスプレイ３５０を取り付けるために使用できる任意の適した材料を含んでいてもよい。そのような材料としては、例えば数例挙げると、接着剤、磁気材料、対応するマジックテープ材料（ｈｏｏｋ  ａｎｄ  ｌｏｏｐ  ｍａｔｅｒｉａｌ）、静電気で付着する材料を挙げることができる。取り付け層３７２のために選択される特定の材料は、ディスプレイ３５０が使用される用途に基づいていてもよい。例えば、接着剤は、ディスプレイ３５０を取り付け面に対して取り外し不能に取り付けることが望ましいときに選択されてもよく、一方、磁気材料は、ディスプレイ３５０を車のスチール面に対して固定して比較的容易に取り外すことができるようにするために使用されてもよい。一実施形態において、取り付け層は、ディスプレイをガラス面に対して固定するために使用されてもよい静電気付着層である。他の実施形態においては、取り付け層が表示層上に含まれており、これにより、ガラス表面の内側に取り付けられてもよいディスプレイが提供されるとともに、ディスプレイをガラスの外側から見ることができる。更なる実施形態において、取り付け層は、取り付け面又は取り付け面上の相補的なハードウェアと係合するようになっているハードウェアを含んでおり、そのようなハードウェアを数例挙げると、例えば、吸引カップ、取り付け面内のピンと係合するスロット、レール、掲示板又は他の面内に挿入されてもよいピン、マジックテープ材料などがある。
【００３１】
[Para49]
【００３２】
[Para50]ここで、図１７を参照すると、本発明の更なる実施形態が示されている。この実施形態において、ディスプレイ４００は比較的大きいサイズのディスプレイである。ディスプレイ４００は前述した表示領域に類似する表示領域４０４を有している。前述したように、この実施形態の表示領域４０４は比較的大きく、例えばポスターサイズ、掲示板サイズ、或いは、それ以上の大きさである。そのような用途において、光源を含むプリント回路基板（ＰＣＢ）を基板面積全体のサイズにすると、費用効率が高くならない場合がある。図１７の実施形態において、ディスプレイ４００は表示領域４０４全体のサイズよりもかなり小さいＰＣＢ４０８を含む。ＰＣＢ４０８は、光源の全部ではないが一部を除き、基板に関連付けられた前述した電子回路の全てを含む。この実施形態において、ＰＣＢ４０８は複数の導体４１２に接続しており、これらの導体はこの図で４１６として示される個々の光源に接続されている。光源は、表示領域４０４の全体にわたって配置されてもよいことは言うまでもなく、説明及び図示を簡単にするため１つの実体４１６として示されている。導電要素４１２は任意の適した導電材料、例えば特にシルバーインクトレース、リボンケーブル、ワイヤにより形成されてもよい。導電要素４１２は、ディスプレイ４００が比較的硬いポスター又は掲示板である実施形態などのように、比較的柔軟性が無くてもよい。また、導電要素４１２は、ディスプレイを丸めたり或いは非平面的な表面上に配置できるようにフレキシブルであってもよい。前述したように、ＰＣＢ４０８は、充電することができ且つ前述したと同様に関連する太陽電池を有する自己完結型の電源を含んでいてもよい。
【００３３】
[Para51]ここで、図１８を参照すると、本発明の更なる実施形態のマルチコンポーネントディスプレイ４５０が描かれている。この実施形態において、マルチコンポーネントディスプレイ４５０は、比較的大きいモジュール表示部４５４と、比較的小さい固定表示部４５８とを含む。この実施形態において、固定表示部４５８は、固定表示部及びモジュール表示部４５８、４５４の両方における様々な光源を作動するためのＰＣＢ４６２として示された電子制御回路の全てを含む。ＰＣＢ４６２は、固定表示部４５８内の複数の光源４７２に結合された複数の導電要素４６８に対して接続されている。固定表示部４５８の領域全体にわたって光源４７２が均一に或いは所定のパターンで配置されてもよいことは言うまでもない。この実施形態において、モジュール表示部４５４は、導電要素４７６によって固定表示部４５８のＰＣＢ４６２に対して接続される複数の光源４８０を含む。ＰＣＢ４６２と光源４８０との間の接続は、モジュール表示部４５４を必要に応じて取り外して交換することができる任意の接続部を介していてもよい。一実施形態において、固定表示部４５８は、モジュール表示部４５４に関連する雌コネクタに対応する複数のピンを有する雄電気コネクタを含む。この実施形態において、各ピンは、１つ以上の光源４８０に対応しており、光源４８０をＰＣＢ４６２に対して電気的に接続する。前述したと同様に、光源４８０は、モジュール表示部４５４の全体にわたって、ディスプレイの要素に対応する均一なパターンで或いは不均一なパターンで離間されていてもよく。このようにして、固定表示部４５８は、所定期間にわたって多くの異なるモジュール表示部４５４のうちの任意のモジュール表示部に結合されてもよい。
【００３４】
[Para52]そのようなディスプレイ４５０は、例えば特定の製品を宣伝することが望まれる小売店など数多くのタイプの用途で役立つことができる。モジュールディスプレイ４５４は、コーラ製品などの第１の製品を対象にする表示領域を有する固定部４５８と結合されてもよい。コーラ製品の宣伝が終わると、宣伝がスナック製品に関して継続されることが望ましい場合がある。その後、スナック製品に関するグラフィック表示領域を有する別個のモジュールディスプレイ４５４が固定部４５８に接続されてもよい。ＰＣＢ４６２は、望まれる宣伝に応じて光源４７２及び／又は光源４８０を点灯するシーケンスを変えるようにプログラムされてもよい。一実施形態において、固定表示部４５８は、特定の製品のためのテキスト及び／又は図形を含んでもよいスクローリングタイプのディスプレイである。例えば、宣伝されるべき製品をその製品の価格とともに記載するテキストが表示領域４５８にわたってスクロールしてもよい。製品を強調し及び／又は目立たせるとともにディスプレイ４５０に対して更なる注意を引き付けるため、モジュール表示領域４５４は、ディスプレイの全体にわたって様々な領域の光源を用いた製品のグラフィック図を含んでいてもよい。宣伝される製品を変えることが望ましい場合、ＰＣＢ４６２内のコントローラ又はマイクロプロセッサは次の宣伝に適するように再プログラムされてもよい。或いは、一実施形態において、モジュール部分４５４は、全体にわたって均一に離間される光源を収容する基板を含むとともに、基板に固定され且つ後に除去されてもよい表示層を受けるようになっている。そのような態様において、ディスプレイ４５０は、モジュール表示部４５４に関連する表示層を変更し且つ光源４７２，４８０を所望のパターンで作動させるようにＰＣＢ４６２を再プログラムするだけで異なる宣伝に使用できる。前述したと同様に、表示領域がたった１つの表面ではなく２つ以上の表面上にディスプレイを有していてもよく、また、表示領域が非平面形状を成していてもよい。
【００３５】
[Para53]本発明をその様々な実施形態に関して特に図示して説明してきたが、当業者であれば容易に分かるように、本発明の思想及び範囲から逸脱することなく形状及び内容において様々な他の変更を成すことができる。
【図面の簡単な説明】
【００３６】
【図１】本発明の一実施形態のディスプレイの正面から見た斜視図である。
【図２】本発明の一実施形態における基板及び関連する構成要素のブロック図である。
【図３】本発明の一実施形態のディスプレイ及び関連する太陽電池を正面から見た平面図である。
【図４】図３のディスプレイの一実施形態における基板及び関連する構成要素のブロック図である。
【図５】図３のディスプレイの他の実施形態における基板及び関連する構成要素のブロック図である。
【図６】本発明の一実施形態のディスプレイ及び関連するキーパッドを正面から見た平面図である。
【図７】図６の実施形態における基板及び関連する構成要素のブロック図である。
【図８】本発明の一実施形態のディスプレイ及び関連するセンサを正面から見た平面図である。
【図９】図８の実施形態における基板及び関連する構成要素のブロック図である。
【図１０】本発明の一実施形態の基板及び無線送信／受信ユニットのブロック図である。
【図１１】本発明の一実施形態の基板及び関連する構成要素のブロック図である。
【図１２】本発明の一実施形態のディスプレイ及び関連するスペーサ層を正面から見た斜視図である。
【図１３】本発明の一実施形態の大型フォーマットディスプレイを正面から見た平面図である。
【図１４】本発明の一実施形態の両面ディスプレイの断面図である。
【図１５】本発明の一実施形態の基板の例図である。
【図１６】本発明の一実施形態のディスプレイの分解図である。
【図１７】本発明の他の実施形態の大型フォーマットディスプレイを正面から見た平面図である。
【図１８】本発明の他の実施形態のマルチセグメントディスプレイを正面から見た平面図である。
【図１】
2008516264.tif 000003
【図２】
2008516264.tif 000004
【図３】
2008516264.tif 000005
【図４】
2008516264.tif 000006
【図５】
2008516264.tif 000007
【図６】
2008516264.tif 000008
【図７】
2008516264.tif 000009
【図８】
2008516264.tif 000010
【図９】
2008516264.tif 000011
【図１０】
2008516264.tif 000012
【図１１】
2008516264.tif 000013
【図１２】
2008516264.tif 000014
【図１３】
2008516264.tif 000015
【図１４】
2008516264.tif 000016
【図１５】
2008516264.tif 000017
【図１６】
2008516264.tif 000018
【図１７】
2008516264.tif 000019
【図１８】
2008516264.tif 000020
【国際調査報告】
2008516264.tif 000021